(57)【要約】      （修正有）【課題】第一中空管及び第二中空管によって光源モジュールの熱量を外部に放出し、照明具放熱装置に更に有効な放熱効果を達成させる照明具放熱装置を提供する。【解決手段】照明具放熱装置１０は、筐体１、放熱モジュール及び光源モジュール３を含む。筐体１には開口１１を形成する。放熱モジュールは筐体１に納置し、放熱モジュールは熱導電部品を含む。熱導電部品は、基板を備え、基板は、第一エリア及び第一エリア外周を囲む第二エリアを備える。第一エリアの一面は設置面を備え、別面は復数の第一中空管が延び、第二エリアの相対両面は、復数の第二中空管が共に延びる。光源モジュール３は設置面に熱貼着し且つ開口１１を形成する。【選択図】図９
0003218914.tif 000002
【実用新案登録請求の範囲】
【請求項１】
開口を設置する筐体と、
該筐体に納置する放熱モジュールと、
設置面に熱貼着し且つ該開口を形成する光源モジュールを含む照明具放熱装置において、
該放熱モジュールは、熱導電部品を含み、それは基板を備え、該基板は第一エリア及び該第一エリア外周を囲む第二エリアを備え、該第一エリアの一面には設置面を備え、別面は復数の第一中空管が延び、該第二エリアの相対両面は、復数の第二中空管が共に延びることを特徴とする照明具放熱装置。
【請求項２】
前記放熱モジュールは、更に復数の熱管を含み、各該熱管は各該第一中空管にパッキン式で挿入設置することを特徴とする請求項１記載の照明具放熱装置。
【請求項３】
前記筐体は相互にセッティングした下筐体及び蓋板を含み、該放熱モジュールは、該下筐体と該蓋板の間に納置し、該下筐体は底板及び外周環状板を備え、該底板中間は凹陥桶が内向きに延び、該開口は該凹陥桶の底壁から形成され、該外周環状板の外部は復数の放熱フィンが連接し、該蓋板の該放熱モジュールに遠い一面は固定フレームを連接することを特徴とする請求項１記載の照明具放熱装置。
【請求項４】
前記各該第二中空管は、該基板を貫通し、それによって各該第二中空管の内部には気流通道を備え、該底板と該蓋板は該復数の気流通道に対応して配置した復数の第一通気口をそれぞれ設置し、該外周環状板は該復数の第二中空管に対応して配置した復数の第二通気口を設置することを特徴とする請求項３記載の照明具放熱装置。
【請求項５】
前記筐体は、更に復数の第一ネジを含み、該外周環状板の該底板に遠い一端は外向きに凸環状片が延び、該凸環状片は復数の第一ロック孔を穿設し、該蓋板は復数の第二ロック孔を穿設し、各該第一ネジは各該第一ロック孔と各該第二ロック孔で固定することを特徴とする請求項３記載の照明具放熱装置。
【請求項６】
前記筐体は更に復数の第二ネジを含み、該設置面には復数の第一定位孔を穿設し、該凹陥桶の底壁は復数の第二定位孔を穿設し、各該第二ネジは各該第一定位孔と各該第二定位孔で固定することを特徴とする請求項３記載の照明具放熱装置。
【請求項７】
前記設置面は復数の第一穿孔及び復数の第二穿孔を穿設し、該放熱モジュールは更にベイパーチャンバーを含み、該光源モジュールはLED光源、レンズライトカバー、環状ライトカバー、復数の第一固定部品及び復数の第二固定部品を含み、該レンズライトカバーは復数の第一固定孔及び復数の第二固定孔を穿設し、該環状ライトカバーは復数の第三固定孔を穿設し、各該第一固定部品は各該第一穿孔と各該第一固定孔で固定し、各該第二固定部品は各該第二穿孔、各該第二固定孔と各該第三固定孔で固定し、該ベイパーチャンバーは該設置面と該レンズライトカバーの間で挟持され、該LED光源は該ベイパーチャンバーと該レンズライトカバーの間で挟持されることを特徴とする請求項１記載の照明具放熱装置。
【請求項８】
開口を設置する筐体と、
該筐体に納置する放熱モジュールと、
設置面に熱貼着し且つ該開口を形成する光源モジュールを含む照明具放熱装置において、
該放熱モジュールは、互いに上、下重畳し、基板を備え、
該基板は第一エリア及び該第一エリア外周を囲む第二エリアを備え、
該第一エリアの一面は設置面を備え、
該第一エリアの別の面は複数の第一中空管が延び、
該第二エリアの相対両面は、複数の第二中空管が共に延び、
該設置面が熱導電部品の外側に配置され、該複数の第一中空管が熱導電部品の内側に配置される熱導電部品と、
パッキン式で該第一中空管にそれぞれ挿入設置される複数の熱管を含むことを特徴とする照明具放熱装置。
【請求項９】
前記筐体は、相互にセッティングした下筐体及び上筐体を含み、該放熱モジュールは該下筐体と該上筐体の間に納置し、該下筐体は底板及び外周環状板を備え、該底板中間は凹陥桶が内向きに延び、該開口は該凹陥桶の底壁から形成し、該上筐体は最上板及び外側環状板を備え、該最上板の中間は下凹桶が内向きに延び、該下凹桶の底壁は固定フレームが連接し、該外周環状板と該外側環状板の外部はそれぞれ復数の放熱フィンが連接することを特徴とする請求項８記載の照明具放熱装置。
【請求項１０】
前記放熱モジュールは、更に少なくとも中間熱伝導部品を含み、該中間熱伝導部品は該熱導電部品の間に重畳し、該中間熱伝導部品は主体板を備え、該主体板は第三エリア及び該第三エリア外周を囲む第四エリアを備え、該第三エリアの相対する両面はどちらも該主体板に貫通する複数のジョイント管が延び、該第四エリアの相対する両面も同じくどちらも該主体板に貫通する復数の第三中空管が延び、各該熱管の中間は各該ジョイント管にパッキン式で挿入設置することを特徴とする請求項９記載の照明具放熱装置。
【請求項１１】
前記筐体は、復数の支持柱を含み、該外周環状板の該底板に遠い一端は外向きに凸環状片が延び、該凸環状片は復数の第一差込孔を穿設し、該外側環状板の該最上板に遠い一端はリング片が外向きに延び、該リング片は復数の第二差込孔を穿設し、該復数の支持柱の両端は該復数の第一差込孔と該復数の第二差込孔にそれぞれ挿入設置し且つ該中間熱伝導部品の外周を囲んで設置することを特徴とする請求項１０記載の照明具放熱装置。
【請求項１２】
前記各該第二中空管は、該基板を貫通し、それによって各該第二中空管の内部に気流通道を形成し、該底板と該最上板は該復数の気流通道に対応して配置した復数の第一通気口をそれぞれ設置し、該外周環状板と該外側環状板は該復数の第二中空管に対応して配置した復数の第二通気口をそれぞれ設置することを特徴とする請求項９記載の照明具放熱装置。
【請求項１３】
前記筐体は、更に復数の第一ネジを含み、該外周環状板の該底板に遠い一端は外向きに凸環状片が延び、該凸環状片は復数の第一ネジ孔を穿設し、該外側環状板の該最上板に遠い一端は外向きにリング片が延び、該リング片は復数の第二ネジ孔を穿設し、各該第一ネジは各該第一ネジ孔と各該第二ネジ孔で固定することを特徴とする請求項９記載の照明具放熱装置。
【請求項１４】
前記筐体は更に復数の第二ネジを含み、該設置面には復数の第一定位孔を穿設し、該凹陥桶と該下凹桶の底壁は復数の第二定位孔をそれぞれ穿設し、各該第二ネジは各該第一定位孔と各該第二定位孔で固定することを特徴とする請求項９記載の照明具放熱装置。
【請求項１５】
前記該開口に隣接して配置した該設置面は、復数の第一穿孔及び復数の第二穿孔を穿設し、該放熱モジュールは更にベイパーチャンバーを含み、該光源モジュールはLED光源、レンズライトカバー、環状ライトカバー、復数の第一固定部品及び復数の第二固定部品を含み、該レンズライトカバーは復数の第一固定孔及び復数の第二固定孔を穿設し、該環状ライトカバーは復数の第三固定孔を穿設し、各該第一固定部品は各該第一穿孔と各該第一固定孔で固定し、各該第二固定部品は各該第二穿孔、各該第二固定孔と各該第三固定孔で固定し、該ベイパーチャンバーは該設置面と該レンズライトカバーの間で挟持され、該LED光源は該ベイパーチャンバーと該レンズライトカバーの間で挟持されることを特徴とする請求項８記載の照明具放熱装置。
【考案の詳細な説明】
【技術分野】
【０００１】
本考案は、照明具構造に関するもので、特に照明具放熱装置に係る。
【背景技術】
【０００２】
発光ダイオード（Light-Emitting Diode、LED）は、輝度が高く省電力で使用寿命が長いという長所を備えることから、市場では好意的に受け入れられている。更に発光ダイオード構成のモジュールが大パワーになるに従い、発光ダイオードは各種照明設備に応用され、環境保護のテーマに合った光源となっている。
【先行技術文献】
【特許文献】
【０００３】
【特許文献１】実用新案登録第3160000号公報
【考案の概要】
【考案が解決しようとする課題】
【０００４】
しかしながら、発光ダイオードは、高ワット数の照明具に運用されることから以下の欠点がある。大パワーの発光ダイオード光源は高温と高熱量を発生するため、仮に高ワット数の照明具内の発光ダイオード及び電子部品の温度が途切れなく上昇した場合、発光ダイオード及び電子部品がショートもしくは破損し、高ワット数の照明具の使用寿命を縮める。拠って如何にして高ワット数の照明具を放熱させるかは、非常に重要な問題である。
【０００５】
上述を鑑み、本考案者は、上述の現在技術に対する上述の問題点を改善することを目標とする。
【課題を解決するための手段】
【０００６】
本考案は、筐体、放熱モジュール及び光源モジュールを含む。筐体には開口を形成する。放熱モジュールは筐体に納置し、放熱モジュールは熱導電部品を含む。熱導電部品は、基板を備え、基板は、第一エリア及び第一エリア外周を囲む第二エリアを備える。第一エリアの一面は設置面を備え、別面は復数の第一中空管が延び、第二エリアの相対両面は、復数の第二中空管が共に延びる。光源モジュールは設置面に熱貼着し且つ開口を形成することを最も主要な特徴とする。
【考案の効果】
【０００７】
本考案の照明具放熱装置は、第一中空管及び第二中空管で光源モジュールの熱量を外部に放出し、更に優れた放熱効果を達成するという利点がある。
【図面の簡単な説明】
【０００８】
【図１】本考案の照明具放熱装置第一実施例の立体分解図である。
【図２】本考案の照明具放熱装置第一実施例の別の立体分解図である。
【図３】本考案の照明具放熱装置第一実施例の立体組立図である。
【図４】本考案の照明具放熱装置第一実施例の別の立体分解図である。
【図５】本考案の照明具放熱装置第一実施例の断面指示図である。
【図６】本考案の照明具放熱装置第二実施例の立体組立図である。
【図７】本考案の照明具放熱装置第二実施例の別の立体組立図である。
【図８】本考案の照明具放熱装置第二実施例の断面指示図である。
【図９】本考案の照明具放熱装置第三実施例の立体組立図である。
【図１０】本考案の照明具放熱装置第三実施例の別の立体組立図である。
【図１１】本考案の照明具放熱装置第三実施例の断面指示図である。
【図１２】本考案の照明具放熱装置第四実施例の立体指示図である。
【考案を実施するための形態】
【０００９】
第一中空管及び第二中空管で光源モジュールの熱量を外部に放出し、更に優れた放熱効果を達成する照明具放熱装置を提供することを本考案の目的とする。
【００１０】
上述の目的を達成するため、本考案は、照明具放熱装置を提供する。それは開口を形成する筐体と、筐体に納置する放熱モジュールと、設置面に熱貼着し且つ開口を形成する光源モジュールを含む。そのうち、該放熱モジュールは、熱導電部品を含み、それは基板を備え、該基板は第一エリア及び該第一エリア外周を囲む一第二エリアを備え、該第一エリアの一面は設置面を備え、別面は復数の第一中空管が延び、該第二エリアの相対両面は、復数の第二中空管が共に延びる。
【００１１】
上述の目的を達成するため、本考案は、照明具放熱装置を提供する。それは開口を設置する筐体と、該筐体に納置する放熱モジュールと、該設置面に熱貼着し且つ該開口を形成する光源モジュールを含む。そのうち、該放熱モジュールは、互いに上、下重畳し、基板を備える。各該基板は第一エリア及び該第一エリア外周を囲む第二エリアを備え、各該第一エリアの一面は設置面を備え、別面は復数の第一中空管が延びる。各該第二エリアの相対両面は、復数の第二中空管が共に延び、該二設置面は該二熱導電部品の外側に配置し、該復数の第一中空管は内側に配置する二熱電動部品と、両端に各該第一中空管にパッキン式でそれぞれ挿入設置する復数の熱管を含む。
【００１２】
本考案の詳細な説明及び技術内容に関し、図式と共に以下に説明するが、図式は用途を説明するためであり、本考案を制限するものではない。
【００１３】
図１から図５に示すとおり、本考案は照明具放熱装置の第一実施例を提供する。該照明具放熱装置１０は、主に筐体１、放熱モジュール２及び光源モジュール３を含む。
【００１４】
図１から図５に示すとおり、筐体１は開口１１を設置し、筐体１は相互にセッティングした下筐体１２及び蓋板１３を含む。下筐体１２は底板１２１及び外周環状板１２２を備え、底板１２１中間は凹陥桶１２１１が内向きに延び、開口１１は凹陥桶１２１１の底壁から設置し、外周環状板１２２の外部は復数の放熱フィン１２３が連接する。外周環状板１２２の底板１２１から遠い一端は凸環状片１２２２が外向きに延び、凸環状片１２２２は復数の第一ロック孔１２２３を穿設し、蓋板１３は復数の第二ロック孔１３２を穿設し、蓋板１３の放熱モジュール２に遠い一面には固定フレーム１３３を連接する。
【００１５】
その他、筐体１は、更に復数の第一ネジ１４及び復数の第二ネジ１５を含む。各第一ネジ１４は各第一ロック孔１２２３と各第二ロック孔１３２で固定し、それによって下筐体１２及び蓋板１３を上、下に一つの組にする。
【００１６】
図１から図２、図４から図５に示すとおり、放熱モジュール２は、下筐体１２と蓋板１３の間に納置する。即ち、放熱モジュール２は筐体１内部に納置するということであり、該放熱モジュール２は熱導電部品２１、復数の熱管２２及びベイパーチャンバー２３を含む。
【００１７】
更に以下に説明する。熱導電部品２１は基板２１０を備える。基板２１０は第一エリア２１１及び第一エリア２１１外周を囲む第二エリア２１２を備え、第一エリア２１１の一面は設置面２１１１を備える。別面は復数の第一中空管２１１３が延び、各熱管２２は各第一中空管２１１３にパッキン式で挿入設置する。第二エリア２１２の相対両面は、復数の第二中空管２１２１が共に延び、各第二中空管２１２１は基板２１０を貫通する。それによって各第二中空管２１２１の内部が気流通道２１２２を備える。
【００１８】
そのうち、底板１２１と蓋板１３は、復数の気流通道２１２２に対応して配置した復数の第一通気口１２４をそれぞれ設置し、外周環状板１２２は復数の第二中空管２１２１に対応して配置した復数の第二通気口１２５を設置することで、第二中空管２１２１の放熱能力が向上する。
【００１９】
その他、設置面２１１１は、復数の第一定位孔２１１５を穿設し、凹陥桶１２１１の底壁は復数の第二定位孔１２１３を穿設する。各第二ネジ１５は各第一定位孔２１１５と各第二定位孔１２１３で固定し、それによって下筐体１２と熱導電部品２１を一つの組にする。また、設置面２１１１には復数の第一穿孔２１１６及び復数の第二穿孔２１１７を穿設する。
【００２０】
図１から図５に示すとおり、光源モジュール３は設置面２１１１に熱貼着し、且つ開口１１を形成する。光源モジュール３はLED光源３１、レンズライトカバー３２、環状ライトカバー３３、復数の第一固定部品３４及び復数の第二固定部品３５を含み、レンズライトカバー３２は復数の第一固定孔３２１及び復数の第二固定孔３２２を穿設し、環状ライトカバー３３は復数の第三固定孔３３１を穿設する。各第一固定部品３４は各第一穿孔２１１６と各第一固定孔３２１に固定設置する。それによってレンズライトカバー３２を設置面２１１１に固定し、各第二固定部品３５は、各第二穿孔２１１７、各第二固定孔３２２と各第三固定孔３３１に固定する。それによって環状ライトカバー３３をレンズライトカバー３２に固定し、ベイパーチャンバー２３は設置面２１１１とレンズライトカバー３２の間に挟持して設置し、LED光源３１はベイパーチャンバー２３とレンズライトカバー３２の間に挟持される。
【００２１】
本考案の照明具放熱装置１０の組立は、筐体１に開口１１を形成する。放熱モジュール２は筐体１に納置し、放熱モジュール２は熱導電部品２１を含み、熱導電部品２１は基板２１０を備える。基板２１０は第一エリア２１１及び第一エリア２１１外周を囲む第二エリア２１２を備える。第一エリア２１１の一面は設置面２１１１を備え、別面は第一中空管２１１３が延び、第二エリア２１２の相対両面は、復数の第二中空管２１２１が共に延びる。光源モジュール３は設置面２１１１に熱貼着し、且つ開口１１を形成する。
【００２２】
本考案の照明具放熱装置１０の使用状態において、それは光源モジュール３で設置面２１１１に熱貼着する。LED光源３１の熱量は第一中空管２１１３及び第二中空管２１２１によって均一に外部に放熱する。そのうち各第二中空管２１２１の内部は気流通道２１２２を備え、且つ第二中空管２１２１は熱導電部品２１の両側及び光源モジュール３の外周辺縁に均一に分布し、LED光源３１の熱量を更に均一に放熱し、照明具放熱装置１０は優良な放熱効果を備える。
【００２３】
その他、放熱モジュール２は、更に復数の熱管２２を含む。各熱管２２は各第一中空管２１１３にパッキン式で挿入設置し、LED光源３１の熱量を更に熱管２２を通してスピーディに外部に放熱し、更に照明具放熱装置１０の放熱效率を強化する。
【００２４】
図６から図８に示すのは、本考案の照明具放熱装置１０の第二実施例である。第二実施例と第一実施例はほぼ同じであるが、第二実施例と第一実施例が異なる点は、熱導電部品２１の数が二個ということである。
【００２５】
以下に詳細に示す。二熱導電部品２１は、筐体１内部に納置し、且つ互いに上下重畳する。各熱導電部品２１は基板２１０を備え、各基板２１０は第一エリア２１１及び第一エリア２１１外周を囲む第二エリア２１２を備える。各第一エリア２１１の一面は設置面２１１１を備え、別面は復数の第一中空管２１１３が延び、各第二エリア２１２の相対両面は、復数の第二中空管２１２１が共に延び、二設置面２１１１は二熱導電部品２１の外側に配置し、復数の第一中空管２１１３は二熱導電部品２１の内側に配置する。復数の熱管２２両端は各第一中空管２１１３にそれぞれパッキン式で挿入設置する。それに拠って、第一実施例と同じ機能及び効果を達成する。
【００２６】
その他、本実施例の筐体１は相互にセッティングした下筐体１２及び上筐体１６を含む。放熱モジュール２は、下筐体１２と上筐体１６の間に納置し、上筐体１６は最上板１６１及び外側環状板１６２を備え、最上板１６１中間は内向きに延びて下凹桶１６１１を有する。下凹桶１６１１の底壁は固定フレーム１３３’を連接し、外側環状板１６２の最上板１６１に遠い一端はリング片１６２１が外向きに延び、リング片１６２１は復数の第二ネジ孔１６２２を穿設し、各設置面２１１１には復数の第一定位孔２１１５’を穿設し、凹陥桶１２１１と下凹桶１６１１の底壁には復数の第二定位孔１２１３’をそれぞれ穿設する。
【００２７】
そのうち、外周環状板１２２と外側環状板１６２の外部は、復数の放熱フィン１２３’をそれぞれ連接し、且つ下筐体１２の底板１２１と上筐体１６の最上板１６１は復数の気流通道２１２２に対応して配置した復数の第一通気口１２４’をそれぞれ設置する。下筐体１２の外周環状板１２２と上筐体１６の外側環状板１６２は、復数の第二中空管２１２１に対応して配置した復数の第二通気口１２５’をそれぞれ設置し、それらに拠って第二中空管２１２１の放熱能力が向上する。
【００２８】
筐体１は更に復数の第一ネジ１４’を含む。各第一ネジ１４’は各第一ネジ孔１２２４と各第二ネジ孔１６２２で固定し、下筐体１２及び上筐体１６は上、下を一つに組にする。
【００２９】
また、筐体１は更に復数の第二ネジ１５’を含む。各第二ネジ１５’は各第一定位孔２１１５’と各第二定位孔１２１３’で固定する。それによってそのうちの熱導電部品２１と下筐体１２を一つに組にする。別の熱導電部品２１と上筐体１６一つに組にする。
【００３０】
その他、第二実施例は第一実施例と比較して、更に熱管２２で二熱導電部品２１を繋ぎ、更に熱管２２から二熱導電部品２１へ安定して熱伝導される。本考案の照明具放熱装置１０がLED光源３１の熱量を熱導電部品２１の数で調整し、照明具放熱装置１０は熱導電部品２１の数及び放熱面積を調整するのが簡単になるという長所を備える。
【００３１】
図９から図１２に示すのは、本考案の照明具放熱装置１０の第三、四実施例である。第三、四実施例と第二実施例はほぼ同じであるが、第三、四実施例と第二実施例が異なるのは、放熱モジュール２が更に一もしくは復数の中間熱伝導部品２４を含むことである。
【００３２】
更に中間熱伝導部品２４は、二熱導電部品２１の間に重畳し、中間熱伝導部品２４は主体板２４０を備える。主体板２４０は第三エリア２４１及び第三エリア２４１外周を囲む第四エリア２４２を備える。第三エリア２４１の相対する両面はどちらも主体板２４０に貫通する復数のジョイント管２４１１が延び、第四エリア２４２の相対する両面も同じくどちらも主体板２４０に貫通する復数の第三中空管２４２１が延び、各熱管２２の中間は各ジョイント管２４１１にパッキン式で挿入設置する。
【００３３】
その他、筐体１は復数の支持柱１７を含む。下筐体１２の凸環状片１２２２は復数の第一差込孔１２２５を穿設し、上筐体１６のリング片１６２１は復数の第二差込孔１６２３を穿設し、復数の支持柱１７の両端は、復数の第一差込孔１２２５と復数の第二差込孔１６２３にそれぞれ挿入設置し、且つ中間熱伝導部品２４の外周を囲んで設置する。
【００３４】
そのうち、図９から図１１に示すとおり、第三実施例の中間熱伝導部品２４の数は一つである。図１２に示すとおり、第三実施例の中間熱伝導部品２４の数は復数である。故に、本考案の照明具放熱装置１０は、二熱導電部品２１の間に一もしくは復数個の中間熱伝導部品２４を追加設置してもよく、熱管２２で二熱導電部品２１及び中間熱伝導部品２４を繋ぎ、熱伝導することで、LED光源３１の熱量を中間熱伝導部品２４の数で調整し、第三中空管２４２１及び放熱面積の放熱を拡げ、照明具放熱装置１０に中間熱伝導部品２４の数、放熱面積を簡単に調整し、及び放熱效率を高める特徴を備えさせる。
【００３５】
上述のとおり、本考案の照明具放熱装置は、予定の使用目的を達成し、且つ公知の欠点を改善し、更に産業利用性及び新奇性、進歩性を備えることから、実用新案登録の要件に符合する。
【符号の説明】
【００３６】
１０      照明具放熱装置
１      筐体
１１      開口
１２      下筐体
１２１      底板
１２１１      凹陥桶
１２１３      第二定位孔
１２１３’    第二定位孔
１２２      外周環状板
１２２２      凸環状片
１２２３      第一ロック孔
１２２４      第一ネジ孔
１２２５      第一差込孔
１２３      放熱フィン
１２３’    放熱フィン
１２４      第一通気口
１２４’    第一通気口
１２５      第二通気口
１２５’    第二通気口
１３      蓋板
１３２      第二ロック孔
１３３      固定フレーム
１３３’    固定フレーム
１４      第一ネジ
１４’    第一ネジ
１５      第二ネジ
１５’    第二ネジ
１６      上筐体
１６１      最上板
１６１１      下凹桶
１６２      外側環状板
１６２１      リング片
１６２２      第二ネジ孔
１６２３      第二差込孔
１７      支持柱
２      放熱モジュール
２１      熱導電部品
２１０      基板
２１１      第一エリア
２１１１      設置面
２１１３      第一中空管
２１１５      第一定位孔
２１１５’    第一定位孔
２１１６      第一穿孔
２１１７      第二穿孔
２１２      第二エリア
２１２１      第二中空管
２１２２      気流通道
２２      熱管
２３      ベイパーチャンバー
２４      中間熱伝導部品
２４０      主体板
２４１      第三エリア
２４２      第四エリア
２４１１      ジョイント管
２４２１      第三中空管
３      光源モジュール
３１      LED光源
３２      レンズライトカバー
３２１      第一固定孔
３２２      第二固定孔
３３      環状ライトカバー
３３１      第三固定孔
３４      第一固定部品
３５      第二固定部品
【図１】
0003218914.tif 000003
【図２】
0003218914.tif 000004
【図３】
0003218914.tif 000005
【図４】
0003218914.tif 000006
【図５】
0003218914.tif 000007
【図６】
0003218914.tif 000008
【図７】
0003218914.tif 000009
【図８】
0003218914.tif 000010
【図９】
0003218914.tif 000011
【図１０】
0003218914.tif 000012
【図１１】
0003218914.tif 000013
【図１２】
0003218914.tif 000014